(57)【特許請求の範囲】
【請求項１】
シートバックの下端から延在するカーペット延長部と荷室側のデッキボードとを接合するカーペット連結装置において、
前記カーペット延長部の裏面に設けられて前記デッキボードの先端部が差し入れられるフック部と、
前記フック部と前記カーペット延長部の先端部との間において前記デッキボードに対して前記カーペット延長部を着脱自在にする締結手段とを備えたことを特徴とするカーペット連結装置。
【請求項２】
前記締結手段は面ファスナであり、前記カーペット延長部の裏面に第１の面ファスナ半部が設けられ、前記デッキボードの表面に第２の面ファスナ半部が設けられたことを特徴とする請求項１記載のカーペット連結装置。
【請求項３】
前記カーペット延長部には、その基端と前記フック部との間に、車幅方向に延在する剛性プレートが固定されていることを特徴とする請求項１又は２記載のカーペット連結装置。
【発明の詳細な説明】
【技術分野】
【０００１】
本発明は、シートバックの下端から延在するカーペット延長部と荷室側のデッキボードとを接合して、カーペット延長部とデッキボードとの一体感を出すためのカーペット連結装置に関するものである。
【背景技術】
【０００２】
従来、このような分野の技術として、特開平９−１０９７６１号公報がある。この公報に記載されたカーペット連結装置において、カーペット延長部の後端の板状支持部材から切り起こされた凸部は、荷室側のデッキボードの通孔内に弾力的に押し込まれる。これによって、カーペット延長部とデッキボードとを連結し、荷室に一体感を出すことができる。また、カーペット延長部とデッキボードとの連結を解除する必要が生じた場合には、カーペット延長部の凸部をデッキボードの通孔から抜き出すように、カーペット延長部のみを持ち上げる。このように、従来のカーペット連結装置は、カーペット延長部の凸部を荷室側のデッキボードの通孔内に単に押し込むだけでよく、組み付け作業が容易である。
【０００３】
【特許文献１】特開平９−１０９７６１号公報
【発明の開示】
【発明が解決しようとする課題】
【０００４】
前述した従来のカーペット連結装置において、デッキボードからカーペット延長部が僅かな力で外れないようにするためには、凸部の曲がりを大きくして弾性力を強くする必要がある。しかしながら、連結力を強くすると、デッキボードからカーペット延長部を外し難くなってしまう。そして、凸部を板バネによって構成すると、長期の使用によって、デッキボード側の通孔の広がり方や凸部の形状が変化する虞がある。このように、前述したカーペット連結装置では、カーペット延長部とデッキボードとの連結力の調整や連結の耐久性を配慮すると構成自体が複雑化する虞があった。
【０００５】
本発明は、カーペット延長部とデッキボードとの連結を簡単な構成で達成するためのカーペット連結装置を提供することを目的とする。
【課題を解決するための手段】
【０００６】
本発明に係るカーペット連結装置は、シートバックの下端から延在するカーペット延長部と荷室側のデッキボードとを接合するカーペット連結装置において、カーペット延長部の裏面に設けられてデッキボードの先端部が差し入れられるフック部と、フック部とカーペット延長部の先端との間においてデッキボードに対してカーペット延長部を着脱自在にする締結手段とを備えたことを特徴とする。
【０００７】
このカーペット連結装置においては、デッキボードにカーペット延長部を固定する際、デッキボードの先端部がカーペット延長部側のフック部内に差し入れられるので、デッキボードに対するカーペット延長部の容易且つ正確な位置決めを可能にする。そして、このような正確な位置決めは、デッキボードとカーペット延長部との連結にあたって、着脱自在な締結手段の正確な位置合わせをも可能にしている。従って、デッキボードとカーペット延長部とを簡単な構成をもって容易且つ確実に連結することができる。しかも、締結手段は着脱自在になっているので、デッキボードの下方に設けられたタイヤハウス等から非常用タイヤ等を取り出すときに、デッキボードからカーペット延長部を切り離すこともできる。
【０００８】
また、締結手段は面ファスナであり、カーペット延長部の裏面に第１の面ファスナ半部が設けられ、デッキボードの表面に第２の面ファスナ半部が設けられると好適である。締結手段を面ファスナにすることで、ワンタッチ式の着脱を可能にし、カーペット延長部が連結されていない状態で、デッキボードの表面にフラット感を出すことができる。
【０００９】
また、カーペット延長部には、その基端とフック部との間に、車幅方向に延在する剛性プレートが固定されていると好適である。シートバックを座席として使用するために、シートバックを倒した状態から起こすと、シートバックがデッキボードに近づくためにカーペット延長部自体が弛むが、剛性プレートによってカーペット延長部に折れ癖を付けることができ、シートバックの後方でカーペット延長部を見栄え良く格納することができる。
【発明の効果】
【００１０】
本発明によれば、簡単な構成を可能にし、正確な位置決め行いながらカーペット延長部とデッキボードとを確実に連結をすることができる。
【発明を実施するための最良の形態】
【００１１】
以下、図面を参照しつつ本発明に係るカーペット連結装置の好適な実施形態について詳細に説明する。
【００１２】
図１に示すように、トランクスルー型車両の後部座席は、倒立可能なシートクッションＳCと前倒可能なシートバックＳＢとを有し、このシートバックＳＢはその裏面に、シートバックカーペット１が貼り付けられ、ブラケット６を介して車床に連結されている。さらに、シートバックＳＢの下端からはカーペット延長部１Ａが延在し、このカーペット延長部１Ａは、デッキボード２と繋げて荷室に一体感を出すために、シートバックカーペット１から略同幅で延長されたものである。
【００１３】
図1〜図３に示すように、カーペット延長部１Ａの遊端部分１０の裏面には、この先端から少し奥まった位置に断面略Ｕ字状のフック部３が２本固定されている。弾性材によって形成された各フック部３は、所定長さの中空部３Ａを有した状態で車幅方向に延在すると共に、一直線上に並べられている。そして、各フック部３の先端部３１がデッキボード２側に向けられるように、フック部３の基端部３０は、縫合部３０Ａによってカーペット延長部１Ａに固定され、フック部３の中空部３Ａはデッキボード２側で開放される。
【００１４】
このようにして固定されたフック部３の中空部３Ａ内にはデッキボード２の先端部２０を差し入れることができる。また、デッキボード２の先端部２０は、「へ」の字状に折り曲げられ、フック部３への装着性を高めている。さらに、デッキボード２の表側には、荷室の一体感を出すために、カーペット延長部１Ａと同じ材質のカーペット生地が貼り付けられている。
【００１５】
さらに、カーペット連結装置には、フック部３とカーペット延長部１Ａの先端との間の遊端部分１０において、デッキボード２に対してカーペット延長部１Ａを着脱自在にする締結手段４Ａ，４Ｂが設けられている。この締結手段４Ａ，４Ｂは面ファスナであり、カーペット延長部１Ａの裏面には雄型面ファスナ(第１の面ファスナ半部)４Ａが縫合によって固定され、デッキボード２の表面をなすカーペット生地には雌型面ファスナ(第２の面ファスナ半部)４Ｂが縫合によって固定されている。そして、第１の面ファスナ４Ａは、各フック部３に並設させるようにカーペット延長部１Ａの先端側に固定されている。
【００１６】
前述したように、カーペット連結装置を、フック部３と締結手段４Ａ，４Ｂとで構成することで、デッキボード２にカーペット延長部１Ａを固定する際、デッキボード２の先端部２０がカーペット延長部１Ａ側のフック部３の中空部３Ａ内に差し入れられるので、デッキボード２に対するカーペット延長部１Ａの容易且つ正確な位置合わせを可能にしている。
【００１７】
そして、このような正確な位置決めは、デッキボード２とカーペット延長部１Ａとの連結にあたって、着脱自在な第１の面ファスナ４Ａと第２の面ファスナ４Ｂとの正確な位置合わせをも可能にしている。従って、デッキボード２とカーペット延長部１Ａとを簡単な構成をもって容易且つ確実に連結することができる。さらに、面ファスナ４Ａ，４Ｂを採用することで、ワンタッチ式の着脱を可能にすると同時に、デッキボード２の表面にフラット感を出すことができる。
【００１８】
そして、スキー板のような長い荷物を荷室に搬入する際、図４及び図５に示すように、シートクッションＳＣを倒立させ、シートバックＳＢを倒すことで、シートバックカーペット１及びカーペット延長部１Ａを略フラットにすることができる。そして、フラットなデッキボード２と相俟って、荷室にフラットな床面が出現し、荷室を広く使うことができる。
【００１９】
これに対し、シートバックＳＢを座席として利用する場合、シートバックＳＢを起こす必要があるが、シートバックＳＢがデッキボード２に近づくためにカーペット延長部自体が弛んでしまう。
【００２０】
そこで、図1〜図３に示すように、カーペット延長部１Ａの基端とフック部３との間において、カーペット延長部１Ａの裏面には、車幅方向に延在する長尺状の剛性プレート５が固定されている。この剛性プレート５はカーペット延長部１Ａの全幅に渡って延在し、前後２列の縫合部５Ａ，５Ｂによって、しっかりとカーペット延長部１Ａに固定されている。
【００２１】
従って、シートバックＳＢを起こしたとき、剛性プレート５の車幅方向に延在する端部によって、カーペット延長部１Ａに略Ｖ字状の折れ部１Ａ´を形成させることができる。そして、この剛性プレート５によりカーペット延長部１Ａに折れ癖を付けることができ、シートバックＳＢの後方でカーペット延長部１Ａを見栄え良く格納することができる(図２参照)。なお、剛性プレート５は、カーペット延長部１Ａの表面でもよいが、見栄えをよくするためには裏面側が適している。
【図面の簡単な説明】
【００２２】
【図１】本発明に係るカーペット連結装置の一実施形態を適用した後部座席及びデッキボードを示す断面図である。
【図２】図１の要部拡大断面図である。
【図３】カーペット延長部をめくり上げた状態を示す斜視図である。
【図４】荷室を拡大するために、シートクッションを倒立させ、シートバックを倒した状態を示す断面図である。
【図５】図４の要部拡大断面図である。
【図６】カーペット延長部をデッキボードから切り離した状態を示す要部拡大断面図である。
【符号の説明】
【００２３】
１    シートバックカーペット
１Ａ  カーペット延長部
２    デッキボード
３    フック部
４Ａ，４Ｂ  締結手段
４Ａ  第１の面ファスナ
４Ｂ  第２の面ファスナ
５    剛性プレート
ＳＢ  シートバック
【図１】
0004567566.tif 000002
【図２】
0004567566.tif 000003
【図３】
0004567566.tif 000004
【図４】
0004567566.tif 000005
【図５】
0004567566.tif 000006
【図６】
0004567566.tif 000007